(57)【特許請求の範囲】
【請求項１】
拡散符号を用いる符号分割多元接続によって複数の送信局装置に対して無線通信を実行する無線通信装置における無線通信方法であって、
前記送信局装置から受信した信号波である受信信号波を受信信号にデジタル変換するステップと、
前記受信信号波の遅延プロファイルを推定し、前記遅延プロファイルが推定された複数の前記受信信号波のパスのうちから、予め定められた条件に基づいて前記受信信号波のパスを決定するステップと、
決定された前記パスの前記受信信号波の振幅変動量及び位相変動量を、前記受信信号に基づいてパスごとに推定するステップと、
決定された前記パスの前記受信信号波のチャネル推定結果と決定された前記パスの前記受信信号波に基づく前記受信信号の復調結果とに基づいて干渉レプリカ信号を生成し、前記遅延プロファイルを推定する対象の前記受信信号波に基づく前記受信信号から前記干渉レプリカ信号をパスごとに減算するステップと、
チャネルが推定された前記パスの前記受信信号波に基づく前記受信信号に、逆拡散処理を施すステップと、
逆拡散処理が施された前記受信信号を復調するステップと、
前記受信信号波に基づく前記受信信号の復調結果を前記送信局装置ごとに選択するステップと、
を有し、
前記選択するステップでは、前記振幅変動量に基づいて、複数の前記復調結果のうち振幅が大きい前記受信信号波に基づく前記受信信号の復調結果を優先して、前記受信信号の復調結果を前記送信局装置ごとに選択する、無線通信方法。
【請求項２】
拡散符号を用いる符号分割多元接続によって複数の送信局装置に対して無線通信を実行する無線通信装置における無線通信方法であって、
前記送信局装置から受信した信号波である受信信号波を受信信号にデジタル変換するステップと、
前記受信信号波の遅延プロファイルを推定し、前記遅延プロファイルが推定された複数の前記受信信号波のパスのうちから、予め定められた条件に基づいて前記受信信号波のパスを決定するステップと、
決定された前記パスの受信信号波の振幅変動量及び位相変動量を、前記受信信号に基づいてパスごとに推定するステップと、
決定された前記パスの前記受信信号波のチャネル推定結果と決定された前記パスの前記受信信号波に基づく前記受信信号とに基づいて第１干渉レプリカ信号を生成し、前記遅延プロファイルを推定する対象の前記受信信号波に基づく前記受信信号から前記第１干渉レプリカ信号をパスごとに減算するステップと、
復調されていない前記受信信号に対応する前記受信信号波のパスの前記送信局装置のうちから、前記振幅変動量の推定値に基づいて前記送信局装置を決定するステップと、
決定された前記送信局装置のパスの前記受信信号波に基づく各受信信号に逆拡散処理を施し、逆拡散処理が施された前記受信信号にＲＡＫＥ合成処理を施すステップと、
前記合成処理が施された前記受信信号を復調するステップと、
決定された前記送信局装置のパスの前記受信信号波のチャネル推定結果と決定された前記送信局装置のパスの前記受信信号波に基づく前記受信信号の復調結果とに基づいて第２干渉レプリカ信号を生成し、前記遅延プロファイルを推定する対象の前記受信信号波に基づく前記受信信号から前記第２干渉レプリカ信号を減算するステップと、
を有する無線通信方法。
【請求項３】
前記送信局装置を決定するステップでは、複数の前記送信局装置のうち受信電力が大きい前記受信信号波の前記送信局装置を優先して、前記送信局装置を決定する、請求項２に記載の無線通信方法。
【請求項４】
拡散符号を用いる符号分割多元接続によって複数の送信局装置に対して無線通信を実行する無線通信装置であって、
前記送信局装置から受信した信号波である受信信号波を受信信号にデジタル変換する無線部と、
前記受信信号波の遅延プロファイルを推定し、前記遅延プロファイルが推定された複数の前記受信信号波のパスのうちから、予め定められた条件に基づいて前記受信信号波のパスを決定するパス決定部と、
決定された前記パスの前記受信信号波の振幅変動量及び位相変動量を、前記受信信号に基づいてパスごとに推定する推定部と、
決定された前記パスの前記受信信号波のチャネル推定結果と決定された前記パスの前記受信信号波に基づく前記受信信号の復調結果とに基づいて干渉レプリカ信号を生成し、前記遅延プロファイルを推定する対象の前記受信信号波に基づく前記受信信号から前記干渉レプリカ信号をパスごとに減算する干渉レプリカ生成部と、
チャネルが推定された前記パスの前記受信信号波に基づく前記受信信号に、逆拡散処理を施す逆拡散部と、
逆拡散処理が施された前記受信信号を復調する復調部と、
前記受信信号波に基づく前記受信信号の復調結果を前記送信局装置ごとに選択する選択部と、
を備え、
前記選択部は、前記振幅変動量に基づいて、複数の前記復調結果のうち振幅が大きい前記受信信号波に基づく前記受信信号の復調結果を優先して、前記受信信号の復調結果を前記送信局装置ごとに選択する、無線通信装置。
【請求項５】
拡散符号を用いる符号分割多元接続によって複数の送信局装置に対して無線通信を実行する無線通信装置であって、
前記送信局装置から受信した信号波である受信信号波を受信信号にデジタル変換する無線部と、
前記受信信号波の遅延プロファイルを推定し、前記遅延プロファイルが推定された複数の前記受信信号波のパスのうちから、予め定められた条件に基づいて前記受信信号波のパスを決定するパス決定部と、
決定された前記パスの受信信号波の振幅変動量及び位相変動量を、前記受信信号に基づいてパスごとに推定する推定部と、
決定された前記パスの前記受信信号波のチャネル推定結果と決定された前記パスの前記受信信号波に基づく前記受信信号とに基づいて第１干渉レプリカ信号を生成し、前記遅延プロファイルを推定する対象の前記受信信号波に基づく前記受信信号から前記第１干渉レプリカ信号をパスごとに減算する第１干渉レプリカ生成部と、
復調されていない前記受信信号に対応する前記受信信号波のパスの前記送信局装置のうちから、前記振幅変動量の推定値に基づいて前記送信局装置を決定する送信局決定部と、
決定された前記送信局装置のパスの前記受信信号波に基づく各受信信号に逆拡散処理を施し、逆拡散処理が施された前記受信信号にＲＡＫＥ合成処理を施す合成部と、
前記合成処理が施された前記受信信号を復調する復調部と、
決定された前記送信局装置のパスの前記受信信号波のチャネル推定結果と決定された前記送信局装置のパスの前記受信信号波に基づく前記受信信号の復調結果とに基づいて第２干渉レプリカ信号を生成し、前記遅延プロファイルを推定する対象の前記受信信号波に基づく前記受信信号から前記第２干渉レプリカ信号を減算する第２干渉レプリカ生成部と、
を備える無線通信装置。
【請求項６】
前記送信局決定部は、複数の前記送信局装置のうち受信電力が大きい前記受信信号波の前記送信局装置を優先して、前記送信局装置を決定する、請求項５に記載の無線通信装置。
【発明の詳細な説明】
【技術分野】
【０００１】
本発明は、無線通信方法及び無線通信装置に関する。
【背景技術】
【０００２】
符号分割多元接続（CDMA: Code Division Multiple Access）通信では、複数の送信局装置が同じ周波数帯域を利用する。このため、ＣＤＭＡ通信では、マルチユーザ干渉が生じ、伝送品質が大きく劣化することがある。マルチユーザ干渉による伝送品質の劣化を軽減する技術として、マルチステージ干渉キャンセラが知られている。マルチステージ干渉キャンセラでは、ユーザの送信局装置の復調情報に基づいて干渉レプリカ信号が生成される。干渉レプリカ信号は、ユーザの送信局装置が他のユーザの送信局装置に与える干渉に応じた信号である。他のユーザの送信局装置から受信した信号波に基づく受信信号は、生成された干渉レプリカ信号が除去（減算）されてから復調される。
【０００３】
図５は、ＣＤＭＡ通信に対応する従来の送信局装置１００の構成の例を示す図である。送信局装置１００（ユーザ端末）は、変調部１１０と、拡散部１２０と、無線部１３０とを備える。変調部１１０は、多値変調処理と誤り訂正処理とをデータに施すことによって、データを符号化する。拡散部１２０は、送信局装置１００に固有である拡散符号に基づいて、変調部１１０によって符号化されたデータに符号拡散処理を施す。無線部１３０は、符号拡散処理が施されたデータをアナログ信号に変換する。無線部１３０は、アナログ信号に周波数変換処理を施して無線信号を生成する。アンテナ１４０は、送信アンテナである。アンテナ１４０は、多重波伝搬する無線通信によって信号波を受信局装置に送信する。
【０００４】
図６は、ＣＤＭＡ通信及びマルチステージ干渉キャンセラに対応する従来の受信局装置２００の構成の例を示す図である。以下、符号Ｋは、同時発呼する送信局装置１００の数を表す。
【０００５】
受信局装置２００は、アンテナ２１０と、無線部２２０と、送信局決定部２３０−１〜２３０−Ｋと、推定部２４０−１〜２４０−Ｋと、合成部２５０−１〜２５０−Ｋと、復調部２６０−１〜２６０−Ｋと、干渉レプリカ生成部２７０−１〜２７０−（Ｋ−１）とを備える。
【０００６】
アンテナ２１０は、多重波伝搬する無線通信によって、各信号波を送信局装置１００−１〜１００−Ｋから受信する。
無線部２２０は、アンテナ２１０によって受信された信号波（以下、「受信信号波」という。）に周波数変換処理を施す。無線部２２０は、周波数変換された受信信号波を受信信号にデジタル変換する。
送信局決定部２３０は、全ての送信局装置１００について、受信信号波の遅延プロファイルを送信局装置１００ごとに推定する。
【０００７】
送信局決定部２３０は、復調部２６０によって復調されていない受信信号に対応する受信信号波の送信局装置１００を、少なくとも一つ選択する。例えば、送信局決定部２３０−１は、復調部２６０−１によって復調されていない受信信号に対応する受信信号波の送信局装置１００−１を選択してもよい。例えば、送信局決定部２３０は、選択した送信局装置１００のうちから、アンテナ２１０における受信信号波の受信電力が相対的に大きい送信局装置１００を、受信信号を復調する対象の受信信号の送信局装置１００として決定してもよい。例えば、送信局決定部２３０は、選択した送信局装置１００のうちから、アンテナ２１０における受信信号波の受信電力が最大である送信局装置１００を、受信信号を復調する対象の受信信号の送信局装置１００として決定してもよい。
【０００８】
推定部２４０は、デジタル変換された受信信号を無線部２２０から取得する。推定部２４０は、送信局決定部２３０によって決定された送信局装置１００の受信信号に対応する受信信号波の遅延プロファイルを、決定された送信局装置１００の受信信号に基づいて推定する。推定部２４０は、受信信号波の遅延プロファイルを、受信信号波の受信時刻ごとに推定する。推定部２４０は、決定された送信局装置１００のパスの受信信号波の振幅変動量を、遅延プロファイルの推定結果に基づいて、受信信号波の受信時刻ごとに推定する。推定部２４０は、決定された送信局装置１００のパスの受信信号波の位相変動量を、遅延プロファイルの推定結果に基づいて、受信信号波の受信時刻ごとに推定する。
【０００９】
合成部２５０は、決定された送信局装置１００に固有である拡散符号に基づいて、決定された送信局装置１００のパスの受信信号波に対応する受信信号に、受信信号波の受信時刻ごとに逆拡散処理を施す。合成部２５０は、逆拡散処理が施された全ての受信信号に、受信信号に対応する受信信号波の振幅変動量及び位相変動量に基づいてＲＡＫＥ合成処理を施す。例えば、合成部２５０は、逆拡散処理が施された全ての受信信号に、最大比合成処理を施す。
【００１０】
復調部２６０は、最大比合成処理が施された受信信号に誤り訂正処理と多値復調処理とを施すことによって、決定された送信局装置１００のパスの受信信号波に基づく受信信号を復調する。
【００１１】
干渉レプリカ生成部２７０は、復調された受信信号と、決定された送信局装置１００に固有である拡散符号と、決定された送信局装置１００のパスの受信信号波の受信時刻、振幅変動量及び位相変動量とに基づいて、干渉レプリカ信号を生成する。干渉レプリカ生成部２７０は、デジタル信号に変換された受信信号から干渉レプリカ信号を減算する。これによって、受信局装置２００は、次回において送信局装置１００の受信信号を復調する場合、決定された送信局装置１００のパスの受信信号に対するマルチユーザ干渉を低減することができる。
【先行技術文献】
【非特許文献】
【００１２】
【非特許文献１】立川敬二監修、「Ｗ−ＣＤＭＡ移動通信方式」、丸善株式会社、２００１年６月２５日、ｐ５６−７７
【発明の概要】
【発明が解決しようとする課題】
【００１３】
信号波が多重波伝搬する環境（マルチパス環境）において、送信局装置１００−１〜１００−Ｋが同時発呼して受信局装置２００との無線通信を実行する場合がある。この場合、各送信局装置１００のパスの受信信号波を検出する際に、振幅変動量の推定値と位相変動量の推定値とに推定誤差が生じる。推定誤差は、例えば、雑音、干渉、送信局装置１００に固有である拡散符号の自己相関特性の非直交性によって生じる。
【００１４】
干渉レプリカ生成部２７０によって生成された干渉レプリカ信号にも、推定誤差による誤差が生じる場合がある。干渉レプリカ信号が減算（除去）された受信信号には、誤差が生じた干渉レプリカ信号によって残留干渉成分が生じてしまう。信号波が多重波伝搬する環境において送信局装置１００−１〜１００−Ｋが同時発呼し受信局装置２００との無線通信を実行する場合、復調する順位が相対的に低い送信局装置１００の受信信号を復調部２６０が復調する際に、受信信号には残留干渉成分が既に蓄積している。このため、残留干渉成分は、伝送品質の劣化の大きな要因となる。
【００１５】
推定誤差の影響を軽減する方法として、受信信号波を含む多重波のうちから、信頼度の高いパスの受信信号波を、復調する対象の受信信号に対応する受信信号波として決定する方法がある。信頼度の高いパスの受信信号波を決定する方法では、パスの受信信号波の信頼度を保証するために受信信号波の振幅に閾値が定められ、受信信号波を含む多重波のうちから、閾値以上の振幅を有する受信信号波のパスが決定される。決定されたパスの受信信号波に基づく受信信号には、ＲＡＫＥ合成と誤り訂正処理と多値復調処理と干渉レプリカ信号の生成処理と干渉レプリカ信号を除去（減算）する処理とが施される。
【００１６】
しかしながら、閾値未満の振幅を有する受信信号波のパスが無視されることになるため、干渉レプリカ信号には推定誤差が生じてしまう。すなわち、干渉レプリカ信号が除去された受信信号には、誤差が生じた干渉レプリカ信号によって残留干渉成分が生じてしまう。
【００１７】
図７は、振幅の異なる二つの受信信号波の遅延プロファイルを示す図である。図８は、図７に示す遅延プロファイルの受信信号波について推定された遅延プロファイルを示す図である。図７及び図８において、縦軸は、二つの受信信号波の相対的な電力値を示す。横軸は、二つの受信信号波の相対的な遅延時間を示す。
【００１８】
図８では、図７に示す遅延プロファイルの受信信号波について、Ｇｏｌｄ符号を用いて遅延プロファイルが推定されている。すなわち、図７において、図８に示す電力の低い信号波（横軸の１２付近に存在する縦軸０．２の値を有する受信信号波）を検出できるように閾値を小さい値に定めた場合、推定された遅延プロファイルは図８に示すグラフとなる。図８では、Ｇｏｌｄ符号の自己相関特性の非直交性によって現れた偽のピークが信号波として誤検出されままで、チャネルが推定されてしまっている。
【００１９】
しかしながら、偽のピークが受信信号波として誤検出されてしまうことを防ぐために閾値が大きい値に定められた場合には、相対的な電力値の低い遅延した受信信号波が検出されないようになってしまう。このため、この遅延した信号波のチャネルは、推定されないようになってしまう。したがって、干渉レプリカ信号に誤差が生じ、干渉レプリカ信号が除去された受信信号には残留干渉成分が含まれてしまうという問題がある。
【００２０】
上記事情に鑑み、本発明は、干渉除去処理後に生じる残留干渉成分を低減することが可能である無線通信方法及び無線通信装置を提供することを目的としている。
【課題を解決するための手段】
【００２１】
本発明の一態様は、拡散符号を用いる符号分割多元接続によって複数の送信局装置に対して無線通信を実行する無線通信装置における無線通信方法であって、前記送信局装置から受信した信号波である受信信号波を受信信号にデジタル変換するステップと、前記受信信号波の遅延プロファイルを推定し、前記遅延プロファイルが推定された複数の前記受信信号波のパスのうちから、予め定められた条件に基づいて前記受信信号波のパスを決定するステップと、決定された前記パスの前記受信信号波の振幅変動量及び位相変動量を、前記受信信号に基づいてパスごとに推定するステップと、決定された前記パスの前記受信信号波のチャネル推定結果と決定された前記パスの前記受信信号波に基づく前記受信信号の復調結果とに基づいて干渉レプリカ信号を生成し、前記遅延プロファイルを推定する対象の前記受信信号波に基づく前記受信信号から前記干渉レプリカ信号をパスごとに減算するステップと、チャネルが推定された前記パスの前記受信信号波に基づく前記受信信号に、逆拡散処理を施すステップと、逆拡散処理が施された前記受信信号を復調するステップと、前記受信信号波に基づく前記受信信号の復調結果を前記送信局装置ごとに選択するステップと、を有する無線通信方法である。
【００２２】
本発明の一態様は、前記選択するステップでは、前記振幅変動量に基づいて、複数の前記復調結果のうち振幅が大きい前記受信信号波に基づく前記受信信号の復調結果を優先して、前記受信信号の復調結果を前記送信局装置ごとに選択する無線通信方法である。
【００２３】
本発明の一態様は、拡散符号を用いる符号分割多元接続によって複数の送信局装置に対して無線通信を実行する無線通信装置における無線通信方法であって、前記送信局装置から受信した信号波である受信信号波を受信信号にデジタル変換するステップと、前記受信信号波の遅延プロファイルを推定し、前記遅延プロファイルが推定された複数の前記受信信号波のパスのうちから、予め定められた条件に基づいて前記受信信号波のパスを決定するステップと、決定された前記パスの受信信号波の振幅変動量及び位相変動量を、前記受信信号に基づいてパスごとに推定するステップと、決定された前記パスの前記受信信号波のチャネル推定結果と決定された前記パスの前記受信信号波に基づく前記受信信号とに基づいて第１干渉レプリカ信号を生成し、前記遅延プロファイルを推定する対象の前記受信信号波に基づく前記受信信号から前記第１干渉レプリカ信号をパスごとに減算するステップと、復調されていない前記受信信号に対応する前記受信信号波のパスの前記送信局装置のうちから、前記振幅変動量の推定値に基づいて前記送信局装置を決定するステップと、決定された前記送信局装置のパスの前記受信信号波に基づく各受信信号に逆拡散処理を施し、逆拡散処理が施された前記受信信号にＲＡＫＥ合成処理を施すステップと、前記合成処理が施された前記受信信号を復調するステップと、決定された前記送信局装置のパスの前記受信信号波のチャネル推定結果と決定された前記送信局装置のパスの前記受信信号波に基づく前記受信信号の復調結果とに基づいて第２干渉レプリカ信号を生成し、前記遅延プロファイルを推定する対象の前記受信信号波に基づく前記受信信号から前記第２干渉レプリカ信号を減算するステップと、を有する無線通信方法である。
【００２４】
本発明の一態様は、前記送信局装置を決定するステップでは、複数の前記送信局装置のうち受信電力が大きい前記受信信号波の前記送信局装置を優先して、前記送信局装置を決定する無線通信方法である。
【００２５】
本発明の一態様は、拡散符号を用いる符号分割多元接続によって複数の送信局装置に対して無線通信を実行する無線通信装置であって、前記送信局装置から受信した信号波である受信信号波を受信信号にデジタル変換する無線部と、前記受信信号波の遅延プロファイルを推定し、前記遅延プロファイルが推定された複数の前記受信信号波のパスのうちから、予め定められた条件に基づいて前記受信信号波のパスを決定するパス決定部と、決定された前記パスの前記受信信号波の振幅変動量及び位相変動量を、前記受信信号に基づいてパスごとに推定する推定部と、決定された前記パスの前記受信信号波のチャネル推定結果と決定された前記パスの前記受信信号波に基づく前記受信信号の復調結果とに基づいて干渉レプリカ信号を生成し、前記遅延プロファイルを推定する対象の前記受信信号波に基づく前記受信信号から前記干渉レプリカ信号をパスごとに減算する干渉レプリカ生成部と、チャネルが推定された前記パスの前記受信信号波に基づく前記受信信号に、逆拡散処理を施す逆拡散部と、逆拡散処理が施された前記受信信号を復調する復調部と、前記受信信号波に基づく前記受信信号の復調結果を前記送信局装置ごとに選択する選択部と、を備える無線通信装置である。
【００２６】
本発明の一態様は、前記選択部は、前記振幅変動量に基づいて、複数の前記復調結果のうち振幅が大きい前記受信信号波に基づく前記受信信号の復調結果を優先して、前記受信信号の復調結果を前記送信局装置ごとに選択する無線通信装置である。
【００２７】
本発明の一態様は、拡散符号を用いる符号分割多元接続によって複数の送信局装置に対して無線通信を実行する無線通信装置であって、前記送信局装置から受信した信号波である受信信号波を受信信号にデジタル変換する無線部と、前記受信信号波の遅延プロファイルを推定し、前記遅延プロファイルが推定された複数の前記受信信号波のパスのうちから、予め定められた条件に基づいて前記受信信号波のパスを決定するパス決定部と、決定された前記パスの受信信号波の振幅変動量及び位相変動量を、前記受信信号に基づいてパスごとに推定する推定部と、決定された前記パスの前記受信信号波のチャネル推定結果と決定された前記パスの前記受信信号波に基づく前記受信信号とに基づいて第１干渉レプリカ信号を生成し、前記遅延プロファイルを推定する対象の前記受信信号波に基づく前記受信信号から前記第１干渉レプリカ信号をパスごとに減算する第１干渉レプリカ生成部と、復調されていない前記受信信号に対応する前記受信信号波のパスの前記送信局装置のうちから、前記振幅変動量の推定値に基づいて前記送信局装置を決定する送信局決定部と、決定された前記送信局装置のパスの前記受信信号波に基づく各受信信号に逆拡散処理を施し、逆拡散処理が施された前記受信信号にＲＡＫＥ合成処理を施す合成部と、前記合成処理が施された前記受信信号を復調する復調部と、決定された前記送信局装置のパスの前記受信信号波のチャネル推定結果と決定された前記送信局装置のパスの前記受信信号波に基づく前記受信信号の復調結果とに基づいて第２干渉レプリカ信号を生成し、前記遅延プロファイルを推定する対象の前記受信信号波に基づく前記受信信号から前記第２干渉レプリカ信号を減算する第２干渉レプリカ生成部と、を備える無線通信装置である。
【００２８】
本発明の一態様は、前記送信局決定部は、複数の前記送信局装置のうち受信電力が大きい前記受信信号波の前記送信局装置を優先して、前記送信局装置を決定する無線通信装置である。
【発明の効果】
【００２９】
本発明により、無線通信方法及び無線通信装置は、干渉除去処理後に生じる残留干渉成分を低減することが可能となる。
【図面の簡単な説明】
【００３０】
【図１】本発明の第１の実施形態における、受信局装置の構成の第１例を示す図である。
【図２】本発明の第１の実施形態における、受信局装置の動作の第１例を示すフローチャートである。
【図３】本発明の第２の実施形態における、受信局装置の構成の第２例を示す図である。
【図４】本発明の第２の実施形態における、受信局装置の動作の第２例を示すフローチャートである。
【図５】ＣＤＭＡ通信に対応する従来の送信局装置の構成の例を示す図である。
【図６】ＣＤＭＡ通信及びマルチステージ干渉キャンセラに対応する従来の受信局装置の構成の例を示す図である。
【図７】振幅の異なる二つの受信信号波の遅延プロファイルを示す図である。
【図８】振幅の異なる二つの受信信号波について推定された遅延プロファイルを示す図である。
【発明を実施するための形態】
【００３１】
本発明の実施形態について図面を参照して詳細に説明する。
［第１の実施形態］
図１は、受信局装置１の構成の第１例を示す図である。受信局装置１（無線通信装置）は、マルチパス環境において、複数の送信局装置１００すなわち送信局装置１００−１〜１００−Ｋが同時発呼した場合、符号分割多元接続による通信（ＣＤＭＡ通信）を送信局装置１００−１〜１００−Ｋと実行する。以下、送信局装置１００−ｋ（ｋは１〜Ｋの任意の値）から受信局装置１に到来する多重波の数、すなわち、送信局装置１００−ｋのパスの数を「Ｌｋ」と表記する。また、同時発呼するＫ個の送信局装置１００についてパスの数Ｌｋを合計した結果を「ΣＬｋ」と表記する。以下、第１の実施形態における受信局装置１を「受信局装置１ａ」という。
【００３２】
受信局装置１ａは、アンテナ１０と、無線部１１と、パス決定部１２−１〜１２−ΣＬｋと、推定部１３−１〜１３−ΣＬｋと、逆拡散部１４−１〜１４−ΣＬｋと、復調部１５−１〜１５−ΣＬｋと、干渉レプリカ生成部１６−１〜１６−（ΣＬｋ−１）と、選択部１７とを備える。
【００３３】
無線部１１と、パス決定部１２と、推定部１３と、逆拡散部１４と、復調部１５と、干渉レプリカ生成部１６と、選択部１７との一部または全部は、例えば、ＣＰＵ（Central Processing Unit）等のプロセッサが、メモリに記憶されたプログラムを実行することにより機能するソフトウェア機能部である。また、これらの機能部のうち一部または全部は、ＬＳＩ（Large Scale Integration）やＡＳＩＣ（Application Specific Integrated Circuit）等のハードウェア機能部であってもよい。
【００３４】
受信局装置１ａは、記憶部を更に備えてもよい。記憶部は、例えば、ＲＯＭ（Read Only Memory）、フラッシュメモリ、ＨＤＤ（Hard Disk Drive）などの不揮発性の記憶媒体（非一時的な記憶媒体）を有する。記憶部は、例えば、ＲＡＭ（Random Access Memory）やレジスタなどの揮発性の記憶媒体を有していてもよい。記憶部は、例えば、ソフトウェア機能部を機能させるためのプログラムを記憶してもよい。
【００３５】
アンテナ１０は、符号分割多元接続を用いた無線通信（ＣＤＭＡ通信）による受信信号波を、同時発呼する送信局装置１００−１〜１００−Ｋから受信する。無線部１１は、受信信号波に周波数変換処理を施す。無線部１１は、周波数変換された受信信号波を受信信号にデジタル変換する。
【００３６】
パス決定部１２は、送信局装置１００に固有である拡散符号と受信信号とに基づいて、全ての送信局装置１００について受信信号波の遅延プロファイルを推定する。パス決定部１２は、遅延プロファイルが推定された受信信号波のパスのうちから、相対的に振幅が大きいという条件を満たす受信信号波のパスを決定する。例えば、パス決定部１２は、遅延プロファイルが推定された受信信号波のパスのうちから、振幅が最大である受信信号波のパスを決定する。
【００３７】
パス決定部１２は、決定したパスの受信信号波の振幅が閾値未満であるか否かを判定する。閾値は予め定められる。閾値は、送信局装置１００ごとに定められてもよい。また、パス決定部１２は、受信信号から干渉レプリカ信号が除去された回数が所定回数以上であるか否かを判定する。所定回数は予め定められる。所定回数は、送信局装置１００ごとに定められてもよい。
【００３８】
推定部１３は、パス決定部１２によって決定されたパスの受信信号波のチャネルを、受信信号に基づいてパスごとに推定する。例えば、推定部１３は、決定された送信局装置１００のパスの受信信号波の振幅変動量を、受信信号に基づいて推定する。また、例えば、推定部１３は、決定された送信局装置１００のパスの受信信号波の位相変動量を、受信信号に基づいて推定する。なお、推定部１３は、パス決定部１２の代わりに、受信信号波の遅延プロファイルを推定してもよい。
【００３９】
逆拡散部１４は、チャネルが推定されたパスの受信信号波に基づく受信信号に、逆拡散処理を施す。逆拡散部１４は、決定されたパスの受信信号波の受信時刻と、決定されたパスの受信信号波の位相変動量の推定値とに基づいて、決定されたパスの受信信号波の位相補償を実行する。
【００４０】
復調部１５は、逆拡散処理が施された受信信号に誤り訂正処理と多値復調処理とを施すことによって、逆拡散処理が施された受信信号をパスごとに復調する。例えば、復調部１５−１は、送信局装置１００−１の１番目のパスについて、復調された受信信号（復調結果）を干渉レプリカ生成部１６−１及び選択部１７に出力する。例えば、復調部１５−ΣＬｋは、送信局装置１００−ｋのＬｋ番目のパスについて、復調された受信信号（復調結果）を選択部１７に出力する。
【００４１】
干渉レプリカ生成部１６は、パス決定部１２によって決定されたパスの受信信号波のチャネル推定結果と、決定されたパスの受信信号波に基づく受信信号の復調結果とに基づいて、干渉レプリカ信号をパスごとに生成する。例えば、干渉レプリカ生成部１６は、復調された受信信号と、復調された受信信号を送信した送信局装置１００に固有である拡散符号と、決定されたパスの受信信号波の受信時刻、振幅変動量の推定値及び位相変動量の推定値とに基づいて、干渉レプリカ信号を生成する。
【００４２】
干渉レプリカ生成部１６は、全ての送信局装置１００について、無線部１１が出力した受信信号から、干渉レプリカ信号をパスごとに減算する。すなわち、干渉レプリカ生成部１６は、送信局装置１００−１〜１００−Ｋについて、遅延プロファイルを推定する対象の受信信号波に基づく受信信号から干渉レプリカ信号をパスごとに除去する。
【００４３】
選択部１７は、パス決定部１２が決定したパスの受信信号波の振幅が閾値以上であり、受信信号から干渉レプリカ信号が除去された回数が所定回数未満である場合、複数の復調結果のうち振幅が大きい受信信号波に基づく受信信号の復調結果を優先して、受信信号の復調結果を送信局装置１００ごとに選択する。例えば、選択部１７は、決定されたパスの受信信号波の振幅変動量の推定値と、決定されたパスの受信信号波に基づく受信信号の各復調結果とに基づいて、複数の復調結果のうち振幅が大きい受信信号波に基づく受信信号の復調結果を優先して、受信信号の復調結果を送信局装置１００ごとに選択する。例えば、選択部１７は、振幅が最大である受信信号波に基づく受信信号の復調結果を、送信局装置１００ごとに選択してもよい。
【００４４】
図２は、受信局装置の動作の第１例を示すフローチャートである。受信局装置１ａは、送信局装置１００−１〜１００−Ｋの受信信号の遅延プロファイルを推定し、振幅が相対的に大きい受信信号波のパスを選択することによってパスを決定する。受信局装置１ａは、同時発呼する複数の送信局装置１００のパスのうち振幅が相対的に大きいパスを優先して、決定したパスごとに、チャネル推定処理や受信信号から干渉信号を除去する処理を繰り返す。以下、受信局装置１ａが干渉信号を除去する処理を繰り返す手順を、図２を用いて説明する。
【００４５】
無線部１１は、受信信号波に周波数変換処理を施す（ステップＳ１０１）。無線部１１は、周波数変換された受信信号波を受信信号にデジタル変換する（ステップＳ１０２）。パス決定部１２は、送信局装置１００に固有である拡散符号と受信信号とに基づいて、全ての送信局装置１００について受信信号波の遅延プロファイルを推定する（ステップＳ１０３）。
【００４６】
パス決定部１２は、遅延プロファイルが推定された受信信号波のパスから、予め定められた条件に基づいてパスを決定する。パス決定部１２は、遅延プロファイルが推定された受信信号波のパスから選択することによって決定したパスの受信信号波の振幅が閾値未満であるか否かを判定する。また、パス決定部１２は、受信信号から干渉レプリカ信号が除去された回数が所定回数以上であるか否かを判定する（ステップＳ１０４）。
【００４７】
決定したパスの受信信号波の振幅が閾値以上であり、受信信号から干渉レプリカ信号が除去された回数が所定回数未満である場合（ステップＳ１０４：ＮＯ）、パス決定部１２は、遅延プロファイルが推定された受信信号波であって、既に復調された受信信号に対応する受信信号波とは送信局装置１００又は受信時刻（相対的な遅延時間）が異なる受信信号波のパスのうちから、振幅が最大である受信信号波のパスを決定する（ステップＳ１０５）。
【００４８】
推定部１３は、パス決定部１２によって決定されたパスの受信信号波のチャネルを、受信信号に基づいてパスごとに推定する。例えば、推定部１３は、決定された送信局装置１００のパスの受信信号波の振幅変動量を、受信信号に基づいて推定する。例えば、推定部１３は、決定された送信局装置１００のパスの受信信号波の位相変動量を、受信信号に基づいて推定する。例えば、推定部１３−１は、パス決定部１２−１によって決定された送信局装置１００−１の１番目のパスの受信信号波のチャネルを推定する。例えば、推定部１３−ΣＬｋは、パス決定部１２−ΣＬｋによって決定された送信局装置１００−ＫのＬＫ番目のパスの受信信号波のチャネルを推定する（ステップＳ１０６）。
【００４９】
逆拡散部１４は、チャネルが推定されたパスの受信信号波に基づく受信信号に、逆拡散処理を施す。逆拡散部１４は、決定されたパスの受信信号波の受信時刻と、決定された送信局装置１００のパスの受信信号波の位相変動量の推定値とに基づいて、決定された送信局装置１００のパスの受信信号波の位相補償を実行する（ステップＳ１０７）。
【００５０】
復調部１５は、逆拡散処理が施された受信信号に誤り訂正処理と多値復調処理とを施すことによって、逆拡散処理が施された受信信号を復調する。例えば、復調部１５−１は、送信局装置１００−１の１番目のパスについて、復調された受信信号（復調結果）を選択部１７に出力する。例えば、復調部１５−ΣＬｋは、送信局装置１００−ＫのＬＫ番目のパスについて、復調された受信信号（復調結果）を選択部１７に出力する（ステップＳ１０８）。
【００５１】
干渉レプリカ生成部１６は、決定されたパスの受信信号波のチャネル推定結果と、決定されたパスの受信信号波に基づく受信信号の復調結果とに基づいて、干渉レプリカ信号をパスごとに生成する。すなわち、干渉レプリカ生成部１６は、復調された受信信号と、復調された受信信号を送信した送信局装置１００に固有である拡散符号と、決定されたパスの受信信号波の受信時刻、振幅変動量の推定値及び位相変動量の推定値とに基づいて、干渉レプリカ信号を生成する（ステップＳ１０９）。
【００５２】
干渉レプリカ生成部１６は、全ての送信局装置１００について、無線部１１が出力した受信信号から、干渉レプリカ信号をパスごとに減算する。すなわち、干渉レプリカ生成部１６は、送信局装置１００−１〜１００−Ｋについて、遅延プロファイルを推定する対象の受信信号波に基づく受信信号から干渉レプリカ信号をパスごとに除去する。これにより、干渉レプリカ生成部１６は、次回のステップＳ１０８において復調部１５が送信局装置１００の受信信号を復調する場合、決定された送信局装置１００のパスの受信信号に対するマルチユーザ干渉を低減することができる（ステップＳ１１０）。干渉レプリカ生成部１６は、ステップＳ１０３に処理を戻す。
【００５３】
決定したパスの受信信号波の振幅が閾値未満である、又は、受信信号から干渉レプリカ信号が除去された回数が所定回数以上である場合（ステップＳ１０４：ＹＥＳ）、選択部１７は、決定されたパスの受信信号波の振幅変動量の推定値と、決定されたパスの受信信号波に基づく受信信号の各復調結果とに基づいて、振幅が最大である受信信号波に基づく受信信号の復調結果を、送信局装置１００ごとに選択する（ステップＳ１１１）。
【００５４】
以上のように、第１の実施形態の受信局装置１ａは、拡散符号を用いる符号分割多元接続によって複数の送信局装置１００に対して無線通信を実行する無線通信装置である。第１の実施形態の受信局装置１ａは、送信局装置１００−１〜１００−Ｋから受信した信号波である受信信号波を受信信号にデジタル変換する無線部１１と、受信信号波の遅延プロファイルを推定し、遅延プロファイルが推定された複数の受信信号波のパスのうちから、振幅等について予め定められた条件に基づいて受信信号波のパスを決定するパス決定部１２と、決定されたパスの受信信号波の振幅変動量及び位相変動量を、受信信号に基づいてパスごとに推定する推定部１３と、決定されたパスの受信信号波のチャネル推定結果と決定されたパスの受信信号波に基づく受信信号の復調結果とに基づいて干渉レプリカ信号を生成し、遅延プロファイルを推定する対象の受信信号波に基づく受信信号から干渉レプリカ信号をパスごとに減算する干渉レプリカ生成部１６と、チャネルが推定されたパスの受信信号波に基づく受信信号に、逆拡散処理を施す逆拡散部１４と、逆拡散処理が施された受信信号を復調する復調部１５と、受信信号波に基づく受信信号の復調結果を送信局装置１００ごとに選択する選択部１７とを備える。
これによって、第１の実施形態の無線通信方法及び無線通信装置は、干渉除去処理後に生じる残留干渉成分を低減することが可能である。
【００５５】
つまり、第１の実施形態の受信局装置１ａは、チャネル推定及びキャンセル処理（干渉除去処理）を送信局装置１００のパスごとに実行する。例えば、第１の実施形態の受信局装置１ａは、送信局装置１００−１から受信局装置１ａに１０本のパスの受信信号波が到来した場合、チャネル推定及びキャンセル処理をパスごとに１０回繰り返すことによって、１０本のパスの受信信号波の間に生じる干渉を低減する。また、第１の実施形態の受信局装置１ａは、同時発呼する複数の送信局装置１００のパスのうち、受信電力が高い受信信号波のパスの順にチャネル推定及びキャンセル処理を実行してもよい。第１の実施形態の受信局装置１ａは、チャネル推定及びキャンセル処理等を受信信号に施す回数が十分に多いので、精度良く干渉を除去することができる。第１の実施形態の受信局装置１ａは、符号分割多元接続を用いた無線通信（ＣＤＭＡ通信）において、収容する送信局装置１００（ユーザ端末）の数を増やすために受信局装置１（基地局）にマルチステージ干渉キャンセラを適用した場合でも、干渉除去処理後に生じる残留干渉成分を低減することが可能である。
【００５６】
［第２の実施形態］
第２の実施形態では、受信局装置１がＲＡＫＥ合成を実行する点が、第１の実施形態と相違する。第２の実施形態では、第１の実施形態との相違点についてのみ説明する。
【００５７】
図３は、受信局装置の構成の第２例を示す図である。以下、第２の実施形態における受信局装置１を「受信局装置１ｂ」という。受信局装置１ｂは、アンテナ１０と、無線部１１と、推定装置２と、復調装置３とを備える。推定装置２は、パス決定部１２−１〜１２−ΣＬｋと、推定部１３−１〜１３−ΣＬｋと、干渉レプリカ生成部１８−１〜１８−（ΣＬｋ−１）とを備える。復調装置３は、送信局決定部１９−１〜１９−Ｋと、合成部２０−１〜２０−Ｋと、復調部２１−１〜２１−Ｋと、干渉レプリカ生成部２２−１〜２２−（Ｋ−１）とを備える。
【００５８】
無線部１１と、パス決定部１２と、推定部１３と、干渉レプリカ生成部１８と、送信局決定部１９と、合成部２０と、復調部２１と、干渉レプリカ生成部２２との一部または全部は、例えば、ＣＰＵ等のプロセッサが、メモリに記憶されたプログラムを実行することにより機能するソフトウェア機能部である。また、これらの機能部のうち一部または全部は、ＬＳＩやＡＳＩＣ等のハードウェア機能部であってもよい。
【００５９】
受信局装置１ｂは、記憶部を更に備えてもよい。記憶部は、例えば、ＲＯＭ、フラッシュメモリ、ＨＤＤなどの不揮発性の記憶媒体（非一時的な記憶媒体）を有する。記憶部は、例えば、ＲＡＭやレジスタなどの揮発性の記憶媒体を有していてもよい。記憶部は、例えば、ソフトウェア機能部を機能させるためのプログラムを記憶してもよい。
【００６０】
パス決定部１２は、送信局装置１００に固有である拡散符号と受信信号とに基づいて、全ての送信局装置１００について受信信号波の遅延プロファイルを推定する。パス決定部１２は、決定したパスの受信信号波の振幅が閾値以上であり、受信信号から干渉レプリカ信号が除去された回数が所定回数未満である場合、相対的に振幅が大きい受信信号波のパスを決定する。例えば、パス決定部１２は、遅延プロファイルが推定された受信信号波であって、既に復調された受信信号に対応する受信信号波とは送信局装置１００又は受信時刻（相対的な遅延時間）が異なる受信信号波のパスのうちから、振幅が最大である受信信号波のパスを決定する。
【００６１】
推定部１３は、パス決定部１２によって決定されたパスの受信信号波のチャネルを、受信信号に基づいてパスごとに推定する。例えば、推定部１３は、決定された送信局装置１００のパスの受信信号波の振幅変動量を、受信信号に基づいて推定する。また、例えば、推定部１３は、決定された送信局装置１００のパスの受信信号波の位相変動量を、受信信号に基づいて推定する。
【００６２】
干渉レプリカ生成部１８は、既知のパイロット信号と、パス決定部１２によって決定されたパスの受信信号波のチャネル推定結果と、決定されたパスの受信信号波に基づく受信信号とに基づいて、干渉レプリカ信号をパスごとに生成する。例えば、干渉レプリカ生成部１８は、既知のパイロット信号と、受信信号と、受信信号を送信した送信局装置１００に固有である拡散符号と、決定されたパスの受信信号波の受信時刻、振幅変動量の推定値及び位相変動量の推定値とに基づいて、干渉レプリカ信号を生成する。
【００６３】
干渉レプリカ生成部１８は、全ての送信局装置１００について、無線部１１が出力した受信信号から、干渉レプリカ信号をパスごとに減算する。すなわち、干渉レプリカ生成部１８は、送信局装置１００−１〜１００−Ｋについて、遅延プロファイルを推定する対象の受信信号波に基づく受信信号から干渉レプリカ信号をパスごとに除去する。
【００６４】
送信局決定部１９は、パス決定部１２が決定したパスの受信信号波の振幅が閾値未満である、又は、受信信号から干渉レプリカ信号が除去された回数が所定回数以上である場合、復調されていない受信信号に対応する受信信号波のパスの送信局装置のうちから、振幅変動量の推定値に基づいて送信局装置１００を決定する。例えば、送信局決定部１９は、復調されていない受信信号に対応する受信信号波のパスの送信局装置のうちから、複数の送信局装置１００のうち受信電力が大きい受信信号波の送信局装置１００を優先して、振幅変動量の推定値に基づいて送信局装置１００を決定してもよい。例えば、送信局決定部１９は、受信信号波の受信電力が最大である送信局装置１００を、振幅変動量の推定値に基づいて決定してもよい。
【００６５】
合成部２０は、送信局決定部１９によって決定された送信局装置１００のパスの受信信号波に基づく各受信信号に、受信信号波の受信時刻に基づいて逆拡散処理を施す。すなわち、合成部２０は、パス決定部１２によって決定されたパスの受信信号波に基づく各受信信号に、受信信号波の受信時刻に基づいて逆拡散処理を施す。合成部２０は、逆拡散処理が施された全ての受信信号に、受信信号に対応する受信信号波の振幅変動量及び位相変動量に基づいてＲＡＫＥ合成処理を施す。例えば、合成部２０は、逆拡散処理が施された全てのパスの受信信号波に基づく受信信号に、最大比合成処理を施す。
【００６６】
復調部２１は、ＲＡＫＥ合成処理が施された受信信号に誤り訂正処理と多値復調処理とを施すことによって、送信局決定部１９によって決定された送信局装置１００のパスの受信信号波に基づく受信信号を復調する。すなわち、復調部２１は、ＲＡＫＥ合成処理が施された受信信号に誤り訂正処理と多値復調処理とを施すことによって、送信局決定部１９によって決定された送信局装置１００のパスの受信信号波に基づく受信信号を復調する。例えば、復調部２１−１は、送信局決定部１９−１によって決定された送信局装置１００−１の復調結果（復調情報）を、干渉レプリカ生成部２２及び他装置に出力する。
【００６７】
干渉レプリカ生成部２２は、決定された送信局装置１００のパスの受信信号波のチャネル推定結果と、決定された送信局装置１００のパスの受信信号波に基づく受信信号の復調結果とに基づいて、干渉レプリカ信号を送信局装置１００ごとに生成する。すなわち、干渉レプリカ生成部２２は、復調された受信信号と、復調された受信信号を送信した送信局装置１００に固有である拡散符号と、決定された送信局装置１００のパスの受信信号波の受信時刻、振幅変動量の推定値及び位相変動量の推定値とに基づいて、干渉レプリカ信号を送信局装置１００ごとに生成する。
【００６８】
干渉レプリカ生成部２２は、復調された受信信号に対応する送信局装置１００について、受信信号から干渉レプリカ信号を送信局装置１００ごとに減算する。すなわち、干渉レプリカ生成部２２は、復調された受信信号に対応する送信局装置１００について、遅延プロファイルを推定する対象の受信信号波に基づく受信信号から干渉レプリカ信号を送信局装置１００ごとに除去する。
【００６９】
図４は、受信局装置の動作の第２例を示すフローチャートである。以下、受信局装置１ｂがＲＡＫＥ合成の処理を繰り返す手順を、図４を用いて説明する。推定装置２は、送信局装置１００−１〜１００−Ｋの全てのパスについて、受信信号波の振幅変動量及び位相変動量を推定する。すなわち、推定装置２は、図４に示すステップＳ２０１〜ステップＳ２０９を実行する。また、復調装置３は、振幅変動量及び位相変動量の推定結果に基づいてＲＡＫＥ合成の処理を実行し、送信局装置１００の受信信号波に基づく各受信信号を復調する。すなわち、復調装置３は、図４に示すステップＳ２１０〜ステップＳ２１６を実行する。
【００７０】
無線部１１は、受信信号波に周波数変換処理を施す（ステップＳ２０１）。無線部１１は、周波数変換された受信信号波を受信信号にデジタル変換する（ステップＳ２０２）。パス決定部１２は、送信局装置１００に固有である拡散符号と受信信号とに基づいて、全ての送信局装置１００について受信信号波の遅延プロファイルを推定する（ステップＳ２０３）。
【００７１】
パス決定部１２は、遅延プロファイルが推定された受信信号波のパスから決定したパスの受信信号波の振幅が閾値未満であるか否かを判定する。また、パス決定部１２は、受信信号から干渉レプリカ信号が除去された回数が所定回数以上であるか否かを判定する（ステップＳ２０４）。
【００７２】
決定したパスの受信信号波の振幅が閾値以上であり、受信信号から干渉レプリカ信号が除去された回数が所定回数未満である場合（ステップＳ２０４：ＮＯ）、パス決定部１２は、遅延プロファイルが推定された受信信号波であって、既に復調された受信信号に対応する受信信号波とは送信局装置１００又は受信時刻（相対的な遅延時間）が異なる受信信号波のパスのうちから、振幅が最大である受信信号波のパスを決定する（ステップＳ２０５）。
【００７３】
推定部１３は、決定された送信局装置１００のパスの受信信号波の振幅変動量を、受信信号に基づいてパスごとに推定する（ステップＳ２０６）。推定部１３は、決定された送信局装置１００のパスの受信信号波の位相変動量を、受信信号に基づいて推定する（ステップＳ２０７）。
【００７４】
干渉レプリカ生成部１８は、既知のパイロット信号と、パス決定部１２によって決定されたパスの受信信号波のチャネル推定結果と、決定されたパスの受信信号波に基づく受信信号とに基づいて、干渉レプリカ信号をパスごとに生成する。すなわち、干渉レプリカ生成部１８は、既知のパイロット信号と、受信信号と、受信信号を送信した送信局装置１００に固有である拡散符号と、決定されたパスの受信信号波の受信時刻、振幅変動量の推定値及び位相変動量の推定値とに基づいて、干渉レプリカ信号をパスごとに生成する（ステップＳ２０８）。
【００７５】
干渉レプリカ生成部１８は、全ての送信局装置１００について、無線部１１が出力した受信信号から、干渉レプリカ信号をパスごとに減算する。すなわち、干渉レプリカ生成部１８は、送信局装置１００−１〜１００−Ｋについて、遅延プロファイルを推定する対象の受信信号波に基づく受信信号から干渉レプリカ信号をパスごとに除去する（ステップＳ２０９）。干渉レプリカ生成部１８は、ステップＳ２０３に処理を戻す。
【００７６】
決定したパスの受信信号波の振幅が閾値未満である、又は、受信信号から干渉レプリカ信号が除去された回数が所定回数以上である場合（ステップＳ２０４：ＹＥＳ）、送信局決定部１９は、復調されていない受信信号に対応する受信信号波のパスの送信局装置１００のうちから、受信信号波の受信電力が相対的に大きい送信局装置１００を、振幅変動量の推定値に基づいて決定する。例えば、送信局決定部１９は、受信信号波の受信電力が最大である送信局装置１００を、振幅変動量の推定値に基づいて決定してもよい（ステップＳ２１０）。
【００７７】
合成部２０は、送信局決定部１９によって決定された送信局装置１００のパスの受信信号波に基づく各受信信号に、受信信号波の受信時刻に基づいて逆拡散処理を施す（ステップＳ２１１）。合成部２０は、逆拡散処理が施された全ての受信信号に、受信信号に対応する受信信号波の振幅変動量及び位相変動量に基づいてＲＡＫＥ合成処理を施す。例えば、合成部２０は、逆拡散処理が施された全てのパスの受信信号波に基づく受信信号に、最大比合成処理を施す（ステップＳ２１２）。
【００７８】
復調部２１は、ＲＡＫＥ合成処理が施された受信信号に誤り訂正処理と多値復調処理とを施すことによって、送信局決定部１９によって決定された送信局装置１００のパスの受信信号波に基づく受信信号を復調する。例えば、復調部２１−１は、送信局決定部１９−１によって決定された送信局装置１００−１の復調結果（復調情報）を、干渉レプリカ生成部２２及び他装置に出力する。例えば、復調部２１−Ｋは、送信局決定部１９−Ｋによって決定された送信局装置１００−Ｋの復調結果（復調情報）を、干渉レプリカ生成部２２及び他装置に出力する（ステップＳ２１３）。
【００７９】
干渉レプリカ生成部２２は、送信局決定部１９によって決定された送信局装置１００のパスの受信信号波のチャネル推定結果と、決定された送信局装置１００のパスの受信信号波に基づく受信信号の復調結果とに基づいて、干渉レプリカ信号を送信局装置１００ごとに生成する。すなわち、干渉レプリカ生成部２２は、復調部２１によって復調された受信信号と、復調された受信信号を送信した送信局装置１００に固有である拡散符号と、決定された送信局装置１００のパスの受信信号波の受信時刻、振幅変動量の推定値及び位相変動量の推定値とに基づいて、干渉レプリカ信号を送信局装置１００ごとに生成する（ステップＳ２１４）。
【００８０】
干渉レプリカ生成部２２は、復調された受信信号に対応する送信局装置１００について、無線部１１が出力した受信信号から、干渉レプリカ信号を送信局装置１００ごとに減算する。すなわち、干渉レプリカ生成部２２は、復調された受信信号に対応する送信局装置１００について、遅延プロファイルを推定する対象の受信信号波に基づく受信信号から干渉レプリカ信号を送信局装置１００ごとに除去する（ステップＳ２１５）。これにより、干渉レプリカ生成部２２は、次回のステップＳ２１３において復調部２１が送信局装置１００の受信信号を復調する場合、決定された送信局装置１００のパスの受信信号に対するマルチユーザ干渉を低減することができる。
【００８１】
干渉レプリカ生成部２２は、全ての送信局装置１００の各パスの受信信号を復調部２１が復調したか否かを判定する（ステップＳ２１６）。復調部２１が復調していない送信局装置１００の各パスの受信信号がある場合（ステップＳ２１６：ＮＯ）、干渉レプリカ生成部２２は、ステップＳ２１０に処理を戻す。全ての送信局装置１００の各パスの受信信号を復調部２１が復調した場合（ステップＳ２１６：ＹＥＳ）、干渉レプリカ生成部２２は、図４に示す処理を終了する。
【００８２】
以上のように、第２の実施形態の受信局装置１ｂは、拡散符号を用いる符号分割多元接続によって複数の送信局装置に対して無線通信を実行する無線通信装置である。第２の実施形態の受信局装置１ｂは、送信局装置１００−１〜１００−Ｋから受信した信号波である受信信号波を受信信号にデジタル変換する無線部１１と、受信信号波の遅延プロファイルを推定し、遅延プロファイルが推定された複数の受信信号波のパスのうちから、振幅や受信時刻等について予め定められた条件に基づいて受信信号波のパスを決定するパス決定部１２と、決定されたパスの受信信号波の振幅変動量及び位相変動量を、受信信号に基づいてパスごとに推定する推定部１３と、決定されたパスの受信信号波のチャネル推定結果と決定されたパスの受信信号波に基づく受信信号とに基づいて第１干渉レプリカ信号を生成し、遅延プロファイルを推定する対象の受信信号波に基づく受信信号から第１干渉レプリカ信号をパスごとに減算する干渉レプリカ生成部１８（第１干渉レプリカ生成部）と、復調されていない受信信号に対応する受信信号波のパスの送信局装置１００のうちから、振幅変動量の推定値に基づいて送信局装置１００を決定する送信局決定部１９と、決定された送信局装置１００のパスの受信信号波に基づく各受信信号に逆拡散処理を施し、逆拡散処理が施された受信信号に、ＲＡＫＥ合成処理などの合成処理を施す合成部２０と、合成処理が施された受信信号を復調する復調部２１と、決定された送信局装置１００のパスの受信信号波のチャネル推定結果と決定された送信局装置のパスの受信信号波に基づく受信信号の復調結果とに基づいて第２干渉レプリカ信号を生成し、遅延プロファイルを推定する対象の受信信号波に基づく受信信号から第２干渉レプリカ信号を減算する干渉レプリカ生成部２２（第２干渉レプリカ生成部）とを備える。
これによって、第２の実施形態の無線通信方法及び無線通信装置は、干渉除去処理後に生じる残留干渉成分を低減することが可能である。
【００８３】
上述した実施形態における送信局装置１００、受信局装置１をコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよく、ＦＰＧＡ（Field Programmable Gate Array）等のプログラマブルロジックデバイスを用いて実現されるものであってもよい。
【００８４】
以上、この発明の実施形態について図面を参照して詳述してきたが、具体的な構成はこの実施形態に限られるものではなく、この発明の要旨を逸脱しない範囲の設計等も含まれる。
【符号の説明】
【００８５】
１ａ…受信局装置、１ｂ…受信局装置、２…推定装置、３…復調装置、１０…アンテナ、１１…無線部、１２…パス決定部、１３…推定部、１４…逆拡散部、１５…復調部、１６…干渉レプリカ生成部、１７…選択部、１８…干渉レプリカ生成部、１９…送信局決定部、２０…合成部、２１…復調部、２２…干渉レプリカ生成部、１００…送信局装置、１１０…変調部、１２０…拡散部、１３０…無線部、１４０…アンテナ、２００…受信局装置、２１０…アンテナ、２２０…無線部、２３０…送信局決定部、２４０…推定部、２５０…合成部、２６０…復調部、２７０…干渉レプリカ生成部
【図１】
0006374349.tif 000002
【図２】
0006374349.tif 000003
【図３】
0006374349.tif 000004
【図４】
0006374349.tif 000005
【図５】
0006374349.tif 000006
【図６】
0006374349.tif 000007
【図７】
0006374349.tif 000008
【図８】
0006374349.tif 000009